(57)【特許請求の範囲】
【請求項１】
コラムパイプ（１０２，２０２，３０２）と、
前記コラムパイプ内に配置された水中モータポンプ（１０４，２０４，３０４）と、
前記水中モータポンプに取り付けられた整流カバー（１０６，２０６，３０６）であって、取付位置において当該水中モータポンプのフレームから、流体流れの下流側に向かって角なく外形が徐々に減少する連続した流線形状の外形を有する整流カバー（１０６，２０６，３０６）と、
を有する、プルアウト形ポンプ装置（１００，２００，３００）。
【請求項２】
請求項１に記載のポンプ装置において、
前記整流カバーは、当該整流カバーの外形が流れの下流に向けて小さくなる、ポンプ装置。
【請求項３】
請求項１又は２に記載のポンプ装置において、
前記整流カバーは、耐腐食性を有する金属材料、高分子材料、セラミクス材料のうち少なくとも一つで形成された、ポンプ装置。
【請求項４】
請求項１乃至３のいずれか一項に記載のポンプ装置において、
前記水中モータポンプの下流側で前記コラムパイプと直交して接続された吐出管（１２２）を更に有し、
前記整流カバーは、当該整流カバーの下流側端部が前記吐出管の中心軸より前記水中モータポンプに近い側になるように形成された、ポンプ装置。
【請求項５】
請求項１乃至３のいずれか一項に記載のポンプ装置において、
電源ケーブル及び吊下げワイヤの少なくともいずれか一方を収納して保護する保護パイプであって、前記整流カバーの下流側端部に取り付けられた保護パイプを更に有する、ポンプ装置。
【請求項６】
請求項５に記載のポンプ装置において、
前記水中モータポンプの下流側で前記コラムパイプと直交して接続された吐出管を更に有し、
前記保護パイプは、前記吐出管の中心軸より前記水中モータポンプから遠い側で当該保護パイプの外径が前記整流カバーの外径より小さくなるように形成された、ポンプ装置。
【請求項７】
コラムパイプ（３０２）と、
前記コラムパイプ内に配置された水中モータポンプ（３０４）と、
前記コラムパイプと前記水中モータポンプとの間の流れの下流側で、当該水中モータポンプに取り付けられた整流カバー（３０６）であって、取付位置において当該水中モータポンプのフレームから、流体流れの下流側に向かって角なく外形が徐々に減少する連続した流線形状の外形を有する整流カバー（３０６）と、
を有し、
前記整流カバーは、当該整流カバーの下流側が延長された延長部（３１８）を有し、
前記延長部は、電源ケーブル（３１０）及び吊下げワイヤ（３１４）の少なくともいずれか一方を収納して保護する、プルアウト形ポンプ装置（３００）。
【請求項８】
コラムパイプ（１０２，２０２，３０２）内に配置された水中モータポンプ（１０４，２０４，３０４）に取り付けられる整流カバーであって、
取付位置において前記水中モータポンプのフレームから、流体流れの下流側に向かって角なく外形が徐々に減少する連続した流線形状の外形を有する、整流カバー（１０６，２０６，３０６）。
【発明の詳細な説明】
【技術分野】
【０００１】
本発明は、整流カバーを備えたポンプ装置等に関する。
【背景技術】
【０００２】
近年、都市部における市街地化や宅地化による舗装率の向上および下水管渠の普及等によって、雨水がポンプ設備の吸水槽に急激かつ大量に流入する傾向にある。しかし、この大量の雨水が流入するのに充分な容量の吸水槽を設備することは、土地が高価である等のため経済的に困難なこともある。その結果、吸水槽の容量が不充分で、水位が大幅に急激な変化を生じさせ易い。この吸水槽の雨水を排除するポンプの一例として、プルアウト形ポンプ装置が広く用いられている。
【０００３】
また、台風等の天災による一度の大量の降雨によって雨水の排水が充分に行なわれず、低地等に出水の災害を生じさせる虞がある場合にも、出水を迅速に排水するためにプルアウト形ポンプ装置が用いられている。
【０００４】
プルアウト形ポンプ装置の公報掲載の公知技術として、例えば特許文献１に開示の技術がある。
【０００５】
図１は、ポンプユニット５０４がコラムパイプ５０２に挿入された構成を有する従来のポンプ装置５００を説明する図である。揚水溜め中に浸漬するようにして取り付けたコラムパイプ５０２の下部に、ソールプレート５３２が取り付けられ、該ソールプレート５３２上にポンプユニット５０４が固定されている。このポンプユニット５０４は、インペラ５２６から吐き出された揚液をコラムパイプ５０２内に軸方向へ導くために案内羽根を備えた吐出ボウル５３４、その下部に取り付けられた吸込ベル５３６、上部に取り付けられたモータ５１６及び該モータ５１６の軸に取り付けられたインペラ５２６などの主要部品から構成されている。また、モータ５１６の上部には、動力用ケーブル５１０が取り付けられ揚水管５０２のコラムハッチ５１２を貫通して外部に引き出されており、またモータ５１６の下部には、メカニカルシール５３８が取り付けられており、モータ室内へ揚液が侵入するのを防いでいる。そして、上記吐出ボウル５３４の外周部には、ソールプレート５３２との取り付け位置に膨出部５４０が形成され、該膨出部５４０の外面とソールプレート５３２との取り付け面は、ポンプ軸芯に対しある角度をもった円錐状に形成されている。
【０００６】
また、水中に吊り下げられて揚水作業を行う水中モータポンプを用いた揚水装置に関する公報掲載技術として、特許文献２に開示の技術もある。
【０００７】
固定された外ケーシング内に着脱自在に水中モータポンプユニットを取付けた液体揚水装置において、水中モータポンプユニットの上部に吊り下げ管の下端を固着し、吊り下げ管の上端を外ケーシングの上部で支承すると共に、モータに至るケーブルおよびケーブルグランドを吊り下げ管内に位置させた技術が開示されている。
【０００８】
更にまた、空転状態でも水中モータポンプが加熱により破損することがなく、継続した運転を可能とする公報掲載技術として、特許文献３に開示の技術もある。
【０００９】
水中モータポンプのモータフレームの外周壁とコラムパイプの内周壁との間の流路内に、モータフレームから水流と平行に複数の放熱フィンを突出させる。コラムハッチに空転状態での空気の流路を形成する空気弁を設ける技術が開示されている。
【先行技術文献】
【特許文献】
【００１０】
【特許文献１】実開昭６０−３２５９９号公報
【特許文献２】特開昭５８−１３８２９３号公報
【特許文献３】特許第２６３２４６６号公報
【発明の概要】
【発明が解決しようとする課題】
【００１１】
ところで、一般的なプルアウト形水中モータポンプは、モータ部下流側が平坦な端面を有する円筒型であり、端面には吊下げ冶具や電源ケーブルのコネクタ等が複雑に配置されている。コラムパイプ内に水中モータポンプを設置した状態でポンプ装置を稼働させて流体を流すと、モータ部の下流側で流体の剥離が発生し、渦が生じる。この渦のために、流体の移送効率は低下し、ポンプ装置内でキャビテーションが発生し、騒音の原因となる。
【００１２】
上記の問題を解決するために本発明はなされたのであって、その課題とするところは、水中モータポンプのモータ部の下流側で生じる流体の剥離や渦の発生を防ぐことで、流体移送の効率低下が少なく、キャビテ−ションや騒音を防止できるポンプ装置等を提供することにある。
【課題を解決するための手段】
【００１３】
以下、本発明について上記課題を解決するための手段を説明する。尚、本発明の理解を容易にするために添付図面の参照符号を括弧書きにて付記するが、それにより本発明が図示の形態に限定されるものではない。
【００１４】
上記課題を解決するために、プルアウト形ポンプ装置（１００，２００，３００）は、コラムパイプ（１０２，２０２，３０２）と、コラムパイプ内に配置された水中モータポンプ（１０４，２０４，３０４）と、水中モータポンプに取り付けられた整流カバー（１０６，２０６，３０６）であって、取付位置において水中モータポンプのフレームに連続した外形を有する整流カバー（１０６，２０６，３０６）とを有する。
【００１５】
ここで、整流カバーは、整流カバーの外形が流れの下流に向けて小さくなることを特徴とすれば、流れの剥離を抑えることができる。
【００１６】
また、整流カバーは、金属材料、高分子材料、セラミクス材料のうち少なくとも一つで形成されることを特徴とすれば、耐腐食性を確保し、モータの発生熱を外部に伝導することができる。
【００１７】
更に、水中モータポンプの下流側でコラムパイプと直交して接続された吐出管（１２２）を更に有し、整流カバーは、整流カバーの下流側端部が吐出管の中心軸より水中モータポンプに近い側になるように形成されることを特徴とすれば、流路の有効断面積が確保することができる。
【００１８】
更にまた、電源ケーブル及び吊下げワイヤの少なくともいずれか一方を収納して保護する保護パイプであって、整流カバーの下流側端部に取り付けられた保護パイプを更に有することを特徴とすれば、ケーブルの絡みがなくなり、流れを更にスムーズにすることができる。
【００１９】
更にまた、水中モータポンプの下流側でコラムパイプと直交して接続された吐出管を更に有し、保護パイプは、吐出管の中心軸より水中モータポンプから遠い側で保護パイプの
外径が整流カバーの外径より小さくなるように形成されることを特徴とすれば、流路の有効断面積が確保することができる。
【００２０】
上記課題を解決するために、プルアウト形ポンプ装置（３００）は、コラムパイプ（３０２）と、コラムパイプ内に配置された水中モータポンプ（３０４）と、コラムパイプと水中モータポンプとの間の流れの下流側で、水中モータポンプに取り付けられた整流カバー（３０６）とを有し、整流カバーは、整流カバーの下流側が延長された延長部（３１８）を有し、延長部は、電源ケーブル（３１０）及び吊下げワイヤ（３１４）の少なくともいずれか一方を収納して保護する。
【００２１】
上記課題を解決するために、整流カバー（１０６，２０６，３０６）は、コラムパイプ（１０２，２０２，３０２）内に配置された水中モータポンプ（１０４，２０４，３０４）に取り付けられる整流カバーであって、取付位置において水中モータポンプのフレームに連続した外形を有する。
【発明の効果】
【００２２】
以上の構成を備えた本発明によれば、水中モータポンプのモータ部の下流側で生じる流体の剥離や渦の発生を防ぐので、流体移送の効率低下が少なく、キャビテ−ションや騒音を防止できる。
【図面の簡単な説明】
【００２３】
【図１】水中モータポンプがコラムパイプに挿入された構成を有する従来のポンプ装置を説明する図である。
【図２】整流カバーが取り付けられていない水中モータポンプを有するプルアウト形ポンプ装置を示す図である。
【図３】図２のモータ部のフレーム下流側で発生する渦の様子を示す図である。
【図４】第１実施形態に係る整流カバーが取り付けられた水中モータポンプを有するポンプ装置を示す図である。
【図５】第２実施形態に係る整流カバーを有するポンプ装置の整流カバーの周囲の構成を示す拡大図である。
【図６】第３実施形態に係る整流カバーが取り付けられた水中モータポンプを有するポンプ装置を示す図である。
【発明を実施するための形態】
【００２４】
まず、従来技術のプルアウト形ポンプ装置を説明する。図２は、整流カバーが取り付けられていない水中モータポンプ６０４がコラムパイプ６０２内に固定された構成を有するプルアウト形ポンプ装置６００を示す図である。
【００２５】
図２に示されるように、ポンプ装置６００は、コラムパイプ６０２と、コラムパイプ６０２内に配置された水中モータポンプ６０４とを有する。吐出管６２２は、水中モータポンプ６０４の下流側において、コラムパイプ６０２と直交して接続されている。水中モータポンプ６０４は、モータ部６１６が筒状のフレームで蓋われており、概ね円筒形状を有している。水中モータポンプ６０４の下流側端部は平坦な端面を有し、吊下げ冶具６０８や電源ケーブル６１０のコネクタ６０９等が配置されている。ポンプ装置６００は、水中モータポンプ６０４の上流側に吸水口６２０を備えている。
【００２６】
かかる構成のポンプ装置６００を始動させると、水中モータポンプ６０４の上流側先端に取り付けられたインペラ６２６によって流体が吸水口６２０からポンプ装置６００内に取り込まれる。流体は、コラムパイプ６０２と水中モータポンプ６０４との間の流路６２４を通り、コラムパイプ６０２の下流側において、向きを９０°変えて吐出管６２２から
排出される。
【００２７】
モータ部６１６のフレームが、下流側に向けて細くなる流線形状でなく、軸方向に外径が同一の円筒形状であるので、フレーム下流側において流体は剥離し渦を生じる。図３は、図２のモータ部６１６のフレーム下流側で発生する渦の様子を示す図である。流体が剥離して流れに渦ができると、流体の移送効率は低下する。また、渦の発生は、キャビテーションや騒音の発生原因となる。
【００２８】
次に、本実施形態に係る整流カバーが取り付けられた水中モータポンプを有するプルアウト形ポンプ装置を説明する。図４は、第１実施形態に係る整流カバー１０６が取り付けられた水中モータポンプ１０４を有するプルアウト形ポンプ装置１００を示す図である。
【００２９】
図４に示されるように、ポンプ装置１００は、コラムパイプ１０２と、コラムパイプ１０２内に配置された水中モータポンプ１０４とを有する。また、ポンプ装置１００は、水中モータポンプ１０４の上流側に吸水口１２０を備えている。
【００３０】
吐出管１２２は、水中モータポンプ１０４の下流側において、コラムパイプ１０２と直交して接続されている。また、ポンプ装置１００は、コラムパイプ１０２と水中モータポンプ１０４との間の流路１２４を通る、吸水口１２０からの延長線上の最下流にコラムハッチ１１２を有している。整流カバー１０６は、水中モータポンプ１０４に電力を供給する電源ケーブル１１０が通過するポート１０７を有し、また、吊下げ冶具１０８を有して吊下げワイヤ１１４を介して水中モータポンプ１０４をコラムハッチ１１２に吊ることを可能にしている。
【００３１】
水中モータポンプ１０４は、モータ部１１６が筒状のフレームで蓋われており、概ね円筒形状を有している。水中モータポンプ１０４の下流側には整流カバー１０６が取り付けられており、整流カバー１０６の内部に電源ケーブル１１０のコネクタ１０９が収納されている。尚、整流カバー１０６の下流側端部が吐出管１２２の中心軸より水中モータポンプ１０４に近い側になるように整流カバー１０６が形成されることで、コラムパイプ１０２と吐出管１２２との接続箇所における流路１２４の有効断面積を確保するようにしてもよい。
【００３２】
かかる構成のポンプ装置１００を始動させると、水中モータポンプ１０４の上流側先端に取り付けられたインペラ１２６によって流体が吸水口１２０からポンプ装置１００内に取り込まれる。流体は、コラムパイプ１０２と水中モータポンプ１０４との間の流路１２４を通り、整流カバー１０６の下流側において向きを９０°変えて吐出管１２２から排出される。
【００３３】
整流カバー１０６の下流側の面には吊下げ冶具１０８が取り付けられており、整流カバー１０６は、図２に示された吊下げ冶具６０８の機能も果たしている。具体的には、整流カバー１０６の吊下げ冶具１０８は、ポンプ装置１００をコラムハッチ１１２に接続する吊下げワイヤ１１４に接続されている。ここで、整流カバー１０６の材質は、ＳＵＳなどの金属材料のほか、樹脂などの高分子材料、セラミックス材料、２種類以上の材料を組み合わせた複合材料などいずれのものでもよいし、これらの材料を塗装したものでもよいが、耐食性及び、モータからの発生熱の伝導性に優れたものが好ましい。
【００３４】
整流カバー１０６は、図４に示されるように、取付位置において水中モータポンプ１０４のフレームに連続した外形を有する。また、整流カバー１０６は、流体流れの下流に向かって外形が徐々に減少する形状を有している。よって、流体は、水中モータポンプ１０４の下流側において整流カバー１０６の外面に沿うように流れ、剥離や渦を軽減すること
ができる。尚、整流カバー１０６の縦断面形状は、半円形状でも、半楕円形状でも、三角形状でもよく、流体の剥離が減少する形状であればいずれでもよい。
【００３５】
かかる構成を有する整流カバー１０６を採用することで、流体移送の効率低下が少なく、水中モータポンプ１０４の下流側でのキャビテ−ションや騒音を防止することができる。また、流体移送の効率の低下が少ないため、整流カバー１０６を取り付けたポンプ装置１００は、整流カバーを備えないポンプ装置に比べ、ポンプ効率を上げることができ省エネルギーにつなげることができる。
【００３６】
図５は、第２実施形態に係る整流カバー２０６を有するポンプ装置２００の整流カバー２０６の周囲の構成を示す拡大図である。第２実施形態に係る整流カバー２０６は、吊下げ冶具の機能を果たさない点で、第１実施形態に係る整流カバー１０６と異なる。具体的には、電源ケーブル２１０のコネクタ２０９の他に吊下げ冶具２０８も整流カバー２０６内に収納され、吊下げ冶具２０８から延びた吊下げワイヤ２１４が整流カバー２０６を貫通して、コラムハッチ（不図示）に接続されている。整流カバー２０６は、図５に示されるように、取付位置において水中モータポンプ２０４のフレームに連続した外形を有する。尚、図５に示す整流カバー２０６の縦断面形状は、図４の例と異なり、三角形である。図５に示されるように、流体は、水中モータポンプ２０４の下流側において整流カバー２０６の外面に沿うように流れ、剥離や渦を軽減することができる。
【００３７】
図６は、第３実施形態に係る整流カバー３０６が取り付けられた水中モータポンプ３０４を有するポンプ装置３００を示す図である。第３実施形態に係る整流カバー３０６は、整流カバー３０６の下流側がコラムハッチ３１２まで延長されて、内部を電源ケーブル３１０や吊下げワイヤ３１４が通っている点で、第１又は第２実施形態に係る整流カバー１０６，２０６と異なる。第３実施形態に係る整流カバー３０６の延長部３１８は、電源ケーブル３１０や吊下げワイヤ３１４等の保護パイプとしての機能を果たす。整流カバー３０６は、図６に示されるように、取付位置において水中モータポンプ３０４のフレームに連続した外形を有する。
【００３８】
延長部３１８は、水中モータポンプ３０４の下流側での流れの剥離や渦の発生を防ぎ、水の流れによって電源ケーブル３１０が絡むことを防止する。電源ケーブル３１０の絡みは、流体の移送効率の低下を招くばかりでなく、電源ケーブル３１０の損傷につながる。尚、吐出管３２２の中心軸より水中モータポンプ３０４から遠い側で延長部３１８の外径が整流カバー３０６の延長部３１８以外の部分の外径より小さくなるように延長部３１８を形成し、コラムパイプが長い場合は吐出管３２２の中心軸より近い側で小さくなるように形成し、これにより、コラムパイプ３０２と吐出管３２２との接続箇所における流路３２４の有効断面積を確保するようにしてもよい。
【００３９】
ポンプ装置３００を始動させると、水中モータポンプ３０４の上流側先端に取り付けられたインペラ３２６によって流体が吸水口３２０からポンプ装置３００内に取り込まれる。流体は、コラムパイプ３０２と水中モータポンプ３０４との間の流路３２４を通り、水中モータポンプ３０４の下流側において向きを９０°変えて吐出管３２２から排出される。
【００４０】
第３実施形態に係る整流カバー３０６により、流体の剥離を防止し、電源ケーブル３１０の絡みや損傷を抑え、効率の良いポンプ装置３００を提供することができる。
【００４１】
尚、上記第３実施形態では、整流カバー３０６は、整流カバー３０６の頂部がコラムハッチ３１２まで延長されて延長部３１８が形成されるように、即ち、延長部３１８が整流カバー３０６の一部として説明したが、本発明はこれに限定されるものではない。整流カ
バーと保護パイプとを別部品とすることも可能である（図示省略）。このとき、吐出管の中心軸より水中モータポンプから遠い側で保護パイプの外径が整流カバーの外径より小さくなるように保護パイプが形成されることで、コラムパイプと吐出管との接続箇所における流路の有効断面積を確保するようにしてもよい。
【符号の説明】
【００４２】
１００，２００，３００：ポンプ装置、１０２，２０２，３０２：コラムパイプ、１０４，２０４，３０４：水中モータポンプ、１０６，２０６，３０６：整流カバー、１０７，２０７：ポート、１０８，２０８：吊下げ冶具、１０９，２０９：コネクタ、１１０，２１０，３１０：電源ケーブル、１１２，３１２：コラムハッチ、１１４，２１４，３１４：吊下げワイヤ、１１６，２１６，３１６：モータ部、３１８：延長部、１２０，３２０：吸水口、１２２，３２２：吐出管、１２４，３２４：流路、１２６，３２６：インペラ
【図１】
0005997483.tif 000002
【図２】
0005997483.tif 000003
【図３】
0005997483.tif 000004
【図４】
0005997483.tif 000005
【図５】
0005997483.tif 000006
【図６】
0005997483.tif 000007